(57)【要約】 【課題】壁を一切切除することなしに、かつ布基礎を穿孔することなく十分な引張抵抗力が発現されるように土台を基礎に接合する。【解決手段】補強部材１は、頂板２と該頂板から直角に延びる側板３とからなり、断面形状がほぼＬ字状となるように形成してある。ここで、頂板２及び側板３の縁部には、Ｌ字状の補剛リブ４ａが立設してあるとともに、それらの反対側縁部にも、Ｌ字状の補剛リブ４ｂを同様に立設してあり、さらに頂板２及び側板３がとりあう２つの隅部には、コーナーリブ５をそれぞれ設けてある。そして、本発明に係る土台補強構造１１は、側板３の背面を布基礎１２の屋内側側面に当接して接着するとともに、頂板２の裏面を土台１３の天端に当接して接着してある。【選択図】  図２
2008050854.tif 000002
【特許請求の範囲】
【請求項１】
頂部及び該頂部に直角配置された側部を有する断面形状がほぼＬ字状の補強部材を備え、前記側部のＬ字内方面と布基礎の屋内側側面とを接着するとともに前記頂部のＬ字内方面と前記布基礎の上に載せられた土台の天端とを接着してなることを特徴とする土台補強構造。
【請求項２】
前記頂部を頂板で構成するとともに該頂板の縁端から直角に延びる側板を前記側部とし、前記頂板及び前記側板の縁部に沿ってほぼＬ字状の補剛リブを立設するとともに前記頂板及び前記側板がとりあう隅部にコーナーリブを設けた請求項１記載の土台補強構造。
【請求項３】
前記頂部を頂板で構成して該頂板の縁端から斜め方向に斜板を延設し該斜板の縁端から前記頂板と直角配置されるように側板を延設し、前記頂板、前記斜板及び前記側板の縁部に沿ってほぼＬ字状の補剛リブを立設するとともに、前記側板の縁端から接着板を延設して該接着板を前記側部とした請求項１記載の土台補強構造。
【請求項４】
前記布基礎の屋内側側面と面一になる厚みを有する当接板を前記土台の屋内側側面に添着し、前記側板に形成されたビス孔にビスを挿通した上、該ビスを前記当接板及び前記土台にねじ込んだ請求項２又は請求項３記載の土台補強構造。
【発明の詳細な説明】
【技術分野】
【０００１】
本発明は、主として住宅の土台を補強する際の土台補強構造に関する。
【背景技術】
【０００２】
住宅の土台は、無筋コンクリート構造又は鉄筋コンクリート（以下、ＲＣ）構造の布基礎の上に接合することにより、柱からの鉛直荷重を基礎ひいては地盤に伝達するとともに、建物に作用する地震時水平力を同様に地盤に伝達するという重要な機能を担っており、布基礎とともに住宅の構造要素として最重要な構造要素の一つであるといっても過言ではない。
【０００３】
かかる土台は、通常、布基礎に予め定着されたアンカーボルトを利用して布基礎に強固に接合されるが、かかるアンカーボルトはあくまで新築時の柱位置を基準として配置されている。
【０００４】
そのため、リフォーム工事の際においても、移設や増設によってあらたに柱を立設する必要がある場合、該柱の位置を基準として土台を基礎にしっかりと接合しなければならないが、その箇所には当然ながらアンカーボルトは存在しない。
【０００５】
したがって、例えば、土台を貫通させるようにしてアンカーボルトを挿通する穴を布基礎に穿孔し、次いで、穿孔した布基礎の穴を清掃後、樹脂が充填されたケミカルアンカー（登録商標）と呼ばれる樹脂カプセルを挿入し、しかる後、アンカーボルトを回転圧入あるいは揺動圧入しながら樹脂カプセルを壊すことで、アンカーボルトを樹脂で定着させることにより、アンカーボルトを新設する必要があった。
【０００６】
ところが、このような方法では、布基礎を穿孔する際、穿孔作業のために一階の壁をほとんど撤去しなければならないとともに、穿孔の際に騒音や粉塵が発生し、加えて、布基礎を穿孔したことによって該布基礎の強度が低下する。特に、ＲＣの布基礎の場合、鉄筋まで切ってしまって曲げ強度が大きく低下する懸念が大きい。
【０００７】
そのため、本出願人は、布基礎を穿孔することなく十分な引張抵抗力が発現されるように土台を基礎に接合することが可能な土台補強構造をあらたに開発した。
【０００８】
【特許文献１】特開平１１−１３１４９４号公報
【特許文献２】登実−３０９５５２５号公報
【特許文献３】登実−３０８７７１２号公報
【特許文献４】特開２００６−１３２１９３号公報
【発明の開示】
【発明が解決しようとする課題】
【０００９】
かかる土台補強構造によれば、繊維シート自体の引張抵抗力及び該繊維シートと布基礎等との接着力によって、土台が布基礎に強く接合されることとなり、建物の耐震性を大幅に向上させることが可能となる。
【００１０】
しかしながら、かかる土台補強構造でも、繊維シートを接着する作業のために壁の下方縁部をわずかなりとも切除する必要があり、それゆえ、切除箇所における断熱性の低下や漏水の懸念を避けることができないという問題を生じていた。
【課題を解決するための手段】
【００１１】
本発明は、上述した事情を考慮してなされたもので、壁を一切切除することなしに、かつ布基礎を穿孔することなく十分な引張抵抗力が発現されるように土台を基礎に接合することが可能な土台補強構造を提供することを目的とする。
【００１２】
上記目的を達成するため、本発明に係る土台補強構造は請求項１に記載したように、頂部及び該頂部に直角配置された側部を有する断面形状がほぼＬ字状の補強部材を備え、前記側部のＬ字内方面と布基礎の屋内側側面とを接着するとともに前記頂部のＬ字内方面と前記布基礎の上に載せられた土台の天端とを接着してなるものである。
【００１３】
また、本発明に係る土台補強構造は、前記頂部を頂板で構成するとともに該頂板の縁端から直角に延びる側板を前記側部とし、前記頂板及び前記側板の縁部に沿ってほぼＬ字状の補剛リブを立設するとともに前記頂板及び前記側板がとりあう隅部にコーナーリブを設けたものである。
【００１４】
また、本発明に係る土台補強構造は、前記頂部を頂板で構成して該頂板の縁端から斜め方向に斜板を延設し該斜板の縁端から前記頂板と直角配置されるように側板を延設し、前記頂板、前記斜板及び前記側板の縁部に沿ってほぼＬ字状の補剛リブを立設するとともに、前記側板の縁端から接着板を延設して該接着板を前記側部としたものである。
【００１５】
また、本発明に係る土台補強構造は、前記布基礎の屋内側側面と面一になる厚みを有する当接板を前記土台の屋内側側面に添着し、前記側板に形成されたビス孔にビスを挿通した上、該ビスを前記当接板及び前記土台にねじ込んだものである。
【００１６】
本発明に係る土台補強構造においては、補強部材を構成する側部のＬ字内方面と布基礎の屋内側側面とを接着するとともに、頂部のＬ字内方面と布基礎の上に載せられた土台の天端とを接着してある。
【００１７】
このようにすると、柱から土台に作用する地震時引抜き力は、補強部材を介して布基礎に伝達し、該布基礎で支持される。
【００１８】
したがって、布基礎にアンカーボルトが埋設されていなくても、本発明に係る補強部材を用いて土台を布基礎に強固に接合することが可能となり、かくして住宅の基礎構造における耐震性を大幅に向上させることができる。
【００１９】
加えて、頂部については、根太と根太の間の空間に挿入することができるため、床下空間を作業スペースとして屋内側から接着作業を行うことにより、外壁を切除せずとも、また床板を剥がさずとも、土台の補強を行うことが可能となり、準備工事や復旧工事が一切不要となる。
【００２０】
すなわち、土台には根太が一定の間隔で架け渡され、その上に一階床板が敷設されているので、根太と根太の間には土台天端と一階床板の裏面との間に根太の高さ分に相当する空間が空いている。
【００２１】
したがって、かかる空間に補強部材の頂部を差し込むようにして該頂部を土台の天端に、側部を布基礎の屋内側側面にそれぞれ接着するようにすれば、一階床板を剥ぎ取る必要もないし、外壁を切除する必要もない。
【００２２】
補強部材は、全体が概ねＬ字状の断面形状となるように頂部及び側部を直角配置することにより、土台からの地震時引抜き力を確実に布基礎に伝達することができるのであれば、どのような構成でもかまわない。
【００２３】
具体的には、前記頂部を頂板で構成するとともに該頂板の縁端から直角に延びる側板を前記側部とし、前記頂板及び前記側板の縁部に沿ってほぼＬ字状の補剛リブを立設するとともに前記頂板及び前記側板がとりあう隅部にコーナーリブを設けて構成することができる。
【００２４】
また、前記頂部を頂板で構成して該頂板の縁端から斜め方向に斜板を延設し該斜板の縁端から前記頂板と直角配置されるように側板を延設し、前記頂板、前記斜板及び前記側板の縁部に沿ってほぼＬ字状の補剛リブを立設するとともに、前記側板の縁端から接着板を延設して該接着板を前記側部として構成することができる。
【００２５】
かかる構成によれば、側部及び頂部の直交性に関する剛性が高くなり、地震時引抜き力の伝達の確実性を高めることが可能となる。
【００２６】
補強部材を土台及び布基礎に接着するにあたり、土台の屋内側側面と布基礎の屋内側側面とが必ずしも面一である必要はなく、段差ができた状態、すなわち土台の屋内側に隙間を残したまま、補強部材を取り付けてもかまわないが、前記布基礎の屋内側側面と面一になる厚みを有する当接板を前記土台の屋内側側面に添着し、前記側板に形成されたビス孔にビスを挿通した上、該ビスを前記当接板及び前記土台にねじ込んだ構成としたならば、補強部材のＬ字状内方面のほぼすべての面が土台や布基礎に実質的に当接されることとなり、地震時引抜き力が作用したときの変形がさらに抑制され、荷重伝達の確実性と信頼性をさらに高めることが可能となる。
【発明を実施するための最良の形態】
【００２７】
以下、本発明に係る土台補強構造の実施の形態について、添付図面を参照して説明する。なお、従来技術と実質的に同一の部品等については同一の符号を付してその説明を省略する。
【００２８】
図１は、本実施形態に係る土台補強構造で用いる補強部材を示した斜視図である。同図でわかるように、本実施形態に係る土台補強構造で用いる補強部材１は、頂部としての頂板２と該頂板の縁端から直角に延びる側部としての側板３とからなり、断面形状がほぼＬ字状となるように形成してある。
【００２９】
ここで、頂板２及び側板３の縁部には、Ｌ字状の補剛リブ４ａを立設してあるとともに、それらの反対側縁部にも、Ｌ字状の補剛リブ４ｂを同様に立設してあり、さらに頂板２及び側板３がとりあう２つの隅部には、コーナーリブ５をそれぞれ設けてある。
【００３０】
図２は、本実施形態に係る土台補強構造を示した断面図である。同図でわかるように、本実施形態に係る土台補強構造１１は、補強部材１を布基礎１２とその上に載せられた土台１３に固定してなり、補強部材１を構成する側板３のＬ字内方面、すなわちその背面を布基礎１２の屋内側側面に当接して接着するとともに、補強部材１を構成する頂板２のＬ字内方面、すなわち裏面を布基礎１２の上に載せられた土台１３の天端に当接して接着してある。
【００３１】
布基礎１２は、無筋コンクリートからなる場合とＲＣからなる場合とがあるとともに、底版であるフーチングと一体のコンクリート構造又はＲＣ構造として該フーチングに立設される場合と、フーチングはなく割栗石の上に直接設置されている場合とがあるが、本実施形態では、フーチングを便宜上省略してある。
【００３２】
ここで、土台１３の屋内側側面には、該土台と高さが同じで幅が頂板２と同じであり、かつ布基礎１２の屋内側側面と面一になる厚みを有する当接板１４を土台１３の屋内側側面に添着してあり、側板３に形成されたビス孔６にビス７を挿通した上、該ビスを当接板１４及び土台１３にねじ込んである。
【００３３】
本実施形態に係る土台補強構造１を施工するには、まず、必要に応じて基礎１２の屋内側側面や土台１３の天端を清掃し、しかる後、当接板１４を土台１３の屋内側側面に添着する。
【００３４】
次に、側板３の背面を布基礎１２の屋内側側面に当接して接着するとともに、頂板２の裏面を土台１３の天端に当接して接着する。ここで、土台１３の天端と一階床板１６の裏面との間は、根太１５の高さ（成）分に相当する空間が空いているので、かかる空間に頂板２を差し込むようにすればよい。なお、接着剤の種類については、公知の手段から適宜選択することができる。
【００３５】
かかる接着作業と相前後して、側板３に形成されたビス孔６にビス７を挿通した上、該ビスを当接板１４及び土台１３にねじ込む。
【００３６】
ここで、補強部材１のコーナーリブ５が土台１３と干渉する場合には、土台１３に切込み１５，１５を予め形成しておき、該切込みにコーナーリブ５，５が嵌め込まれるようにして補強部材１を取り付ける。
【００３７】
補強部材１を設置する場所は、例えば柱の立設位置近傍とするのがよい。具体的には、柱に取り付けられたホールダウン金物の近傍に設置するのが望ましく、かかる構成により、住宅基礎の耐震性を大幅に向上させることができる。
【００３８】
以上説明したように、本実施形態に係る土台補強構造１１によれば、補強部材１を構成する側板３のＬ字内方面と布基礎１２の屋内側側面とを接着するとともに、頂板２のＬ字内方面と布基礎１２の上に載せられた土台１３の天端とを接着してある。
【００３９】
このようにすると、柱から土台１３に作用する地震時引抜き力は、補強部材１を介して布基礎１２に伝達し、該布基礎で支持される。
【００４０】
したがって、布基礎１２にアンカーボルトが埋設されていなくても、布基礎１２を穿孔することなく、補強部材１を介して土台１３を布基礎１２に強固に接合することが可能となり、穿孔機械が不要になるとともに作業時間も短縮することができる。加えて、リフォーム工事の際、騒音の発生も回避することができる。
【００４１】
また、本実施形態に係る土台補強構造１１によれば、根太１５，１５に挟まれた空間に頂板２を挿入することができるため、床下空間を作業スペースとして屋内側から接着作業を行うことにより、外壁を切除せずとも、また床板１６を剥がさずとも、土台１３の補強を行うことが可能となり、準備工事や復旧工事が一切不要となる。
【００４２】
また、本実施形態に係る土台補強構造１１によれば、頂板２及び側板３の縁部に沿ってほぼＬ字状の補剛リブ４ａ，４ｂを立設するとともに頂板２及び側板３がとりあう隅部にコーナーリブ５，５を設けたので、側板３に対する頂板２の角度（直角）を増加させようとする力に対する剛性が高くなり、地震時引抜き力の伝達の確実性を高めることが可能となる。
【００４３】
また、本実施形態に係る土台補強構造１１によれば、土台１３と高さが同じで布基礎１２の屋内側側面と面一になる厚みを有する当接板１４を土台１３の屋内側側面に添着し、側板３に形成されたビス孔６にビス７を挿通した上、該ビスを当接板１４及び土台１３にねじ込むようにしたので、補強部材１のＬ字状内方面、言い換えれば頂板２の裏面及び側板３の背面がすべて土台１３や布基礎１２に当接されることとなり、地震時引抜き力が作用したときの補強部材１の変形がさらに抑制され、荷重伝達の確実性と信頼性とを向上させることが可能となる。
【００４４】
本実施形態では、土台１３と高さが同じで布基礎１２の屋内側側面と面一になる厚みを有する当接板１４を土台１３の屋内側側面に添着し、側板３に形成されたビス孔６にビス７を挿通した上、該ビスを当接板１４及び土台１３にねじ込むようにしたが、かかる当接板１４については、場合により省略してもかまわない。
【００４５】
その場合、ビス７による螺合も行わないことになるが、頂板２と土台１３との接着及び側板３と布基礎１２との接着によって、土台１３を布基礎１２に十分な強度で接合することができる。
【００４６】
また、本実施形態では、コーナーリブ５，５と土台１３との干渉があることを前提として土台１３に切込み１５，１５を形成するようにしたが、干渉がない場合にはこれを省略可能であることは云うまでもない。
【００４７】
また、本実施形態では、本発明に係る補強部材を、頂板２と該頂板の縁端から直角に延びる側板３とから構成したが、本発明の補強部材は、かかる構成に限定されるものではない。
【００４８】
図４は、変形例に係る補強部材及びそれを用いた土台補強構造を示した断面図、図５は土台補強構造の分解斜視図である。これらの図でわかるように、本変形例に係る補強部材４１は、頂部としての頂板４２の縁端から斜め方向に斜板４３を延設し、該斜板の縁端から頂板４２と直角配置されるように側板４４を延設するとともに、側板４４の縁端から接着板４６を延設して該接着板を側部としてあり、断面形状がほぼＬ字状となるように形成してある。
【００４９】
ここで、頂板４２、斜板４３及び側板４４の縁部には、Ｌ字状の補剛リブ４５ａを立設してあるとともに、それらの反対側縁部にも、Ｌ字状の補剛リブ４５ｂを同様に立設してある。
【００５０】
また、本変形例に係る土台補強構造５１は、補強部材４１を布基礎１２とその上に載せられた土台１３に固定してなり、補強部材４１を構成する接着板４６のＬ字内方面、すなわちその背面を布基礎１２の屋内側側面に当接して接着するとともに、補強部材４１を構成する頂板４２のＬ字内方面、すなわち裏面を布基礎１２の上に載せられた土台１３の天端に当接して接着してある。
【００５１】
ここで、土台１３の屋内側上隅部には切り欠き５５を形成してあり、該切り欠きに斜板４３が嵌り込むように補強部材４１を土台１３に取り付けてあるとともに、土台１３の屋内側側面には、幅が頂板２と同じでありかつ布基礎１２の屋内側側面と面一になる厚みを有する当接板５４を土台１３の屋内側側面に添着してあり、側板４４に形成されたビス孔６にビス７を挿通した上、該ビスを当接板５４及び土台１３にねじ込んである。
【００５２】
かかる変形例においても、上述した実施形態と同様の作用効果を奏するが、ここではその説明を省略する。なお、本変形例でも、ビス７による螺着を省略できることは上述した実施形態と同様であり、その場合には、当接板５４を省略してかまわない。
【図面の簡単な説明】
【００５３】
【図１】本実施形態に係る土台補強構造に用いる補強部材の斜視図。
【図２】本実施形態に係る土台補強構造の鉛直断面図。
【図３】本実施形態に係る土台補強構造の分解斜視図。
【図４】変形例に係る土台補強構造の鉛直断面図。
【図５】変形例に係る土台補強構造の分解斜視図。
【符号の説明】
【００５４】
１，４１                      補強部材
２，４２                      頂板（頂部）
３                            側板（側部）
４ａ，４ｂ                    Ｌ字状補剛リブ
５                            コーナーリブ
６                            ビス孔
７                            ビス
１１、５１                    土台補強構造
１２                          布基礎
１３                          土台
１４，５４                    当接板
４３                          斜板
４４                          側板
４６                          接着板（側部）
【図１】
2008050854.tif 000003
【図２】
2008050854.tif 000004
【図３】
2008050854.tif 000005
【図４】
2008050854.tif 000006
【図５】
2008050854.tif 000007